(57)【要約】【課題】エネルギー消費量を削減しながら、執務者の快適性を損なわないように空調の運転を制御する。【解決手段】空調制御装置２０の検出情報受信部２２は、検出装置１０から各区画における執務者の在席状況の検出結果を受信する。制御判断部２４は、記憶部２１に記憶されているスケジュール情報から各区画における執務者の予定在席状況を取得するとともに、当該区画において実際に検出された在席状況を取得する。そして、検出装置１０により執務者が現在在席していることが検出された区画において執務者が現在在席予定であることがスケジュール情報に設定されている場合、このスケジュール情報に区画において前記執務者が不在予定となることが設定されている時刻よりも所定時間前にこの区画を空調対象としている個別空調機３０の稼動を停止すると判断する。制御指示部２５は、制御判断部２４の判断に従って、個別空調機３０にスイッチを制御するよう指示する。【選択図】図１
2012093022.tif 000002
【特許請求の範囲】
【請求項１】
建物内において空調機が空調対象としている区画における執務者の予定在席状況を示すスケジュール情報を記憶する記憶部と、
前記区画において検出された執務者の現在の在席状況と、前記記憶部に記憶されている前記スケジュール情報が示す前記区画における執務者の予定在席状況とが相違する時刻から所定時間ずらした時刻に、前記区画を空調対象としている前記空調機のスイッチ制御状態を変更するよう判断する制御判断部と、
前記制御判断部によって判断されたスイッチ制御状態に従って前記区画を空調対象としている前記空調機を制御する制御指示部と、
を備えることを特徴とする空調制御装置。
【請求項２】
前記制御部は、執務者が現在在席していることが検出された前記区画において執務者が現在在席予定であることが前記スケジュール情報に設定されている場合、前記スケジュール情報に前記区画において前記執務者が不在予定となることが設定されている時刻よりも所定時間前に前記区画を空調対象としている前記空調機の稼動を停止するようスイッチ制御状態を判断する、
ことを特徴とする請求項１に記載の空調制御装置。
【請求項３】
前記制御部は、執務者が現在在席していることが検出された前記区画において執務者が現在不在予定であることが前記スケジュール情報に設定されている場合、前記スケジュール情報に前記区画において前記執務者が不在予定となったことが設定されている時刻よりも所定時間後に前記区画を空調対象としている前記空調機を稼動するようスイッチ制御状態を判断する、
ことを特徴とする請求項１に記載の空調制御装置。
【請求項４】
前記制御指示部は、執務者が現在不在であることが検出された前記区画において執務者が現在在席予定であることが前記スケジュール情報に設定されている場合、前記執務者が不在であることが検出された時刻よりも所定時間後に前記区画を空調対象としている前記空調機の稼動を停止するようスイッチ制御状態を判断する、
ことを特徴とする請求項１に記載の空調制御装置。
【請求項５】
前記制御判断部は、前記建物の外の環境、前記区画における環境、または、前記区画における執務内容のうち１つ以上に対応して前記所定時間を決定する、
ことを特徴とする請求項１から請求項４のいずれか１項に記載の空調制御装置。
【発明の詳細な説明】
【技術分野】
【０００１】
本発明は、建物内に設置された空調機を制御する空調制御装置に関する。
【背景技術】
【０００２】
オフィスビルなどに設置された空調機は、執務スペース内を均一に空調しているため、執務スペースに執務者の大半が不在であっても、執務者が多いときと同じように空調を行なわなければならない。そこで、執務者個々人の自席の周辺に空調の吹き出し口を設置する個別空調が普及しつつある。
【０００３】
一方、予約により使用されるオフィスビル内の区画、例えば、会議室等に設置された空調機の負荷を削減する技術がある（例えば、特許文献１参照）。この技術では、会議室の使用予約に基づくスケジュールを予め登録しておき、このスケジュールにより示される空調の運転期間において会議室に人がいるか否を検出し、その検出結果から空調機の起動や停止を行なう。
【先行技術文献】
【特許文献】
【０００４】
【特許文献１】特開平５−２４８６７９号公報
【発明の概要】
【発明が解決しようとする課題】
【０００５】
上述した個別空調は、執務者個々人に応じた制御ができるという利点がある一方、執務者が自席に不在のときに空調のスイッチを切り忘れてしまい、エネルギーのロスが発生しやすいという問題がある。そこで、各執務者のスケジュール情報を予め登録しておき、そのスケジュール情報から執務者が自席に在席しているか、あるいは、会議等により不在にしているかの情報を取得して個別空調のスイッチ制御を行う方法が考えられる。しかし、スケジュールへの情報が未入力であるなど、スケジュール情報に正確な情報が入力されていなかったり、急な予定変更によって会議がキャンセルされ、スケジュール情報の更新が実際の行動に追いつかなかったりした場合、適切なスイッチ制御が行われなくなってしまう。
【０００６】
特許文献１の技術では、会議室の使用が登録されている間のみ、実際に会議室が使われているか否かに応じた空調機の運転制御を行なっている。会議室は共有スペースであり、使用が予定されている場合には、スケジュールにその使用予定が忘れずに登録されてことが多い。そのため、会議室の使用が登録されている間のみ実際の使用状況を監視することによって、使用されている間は空調を稼動して会議室使用者の快適性を保ち、使用されていなければ空調を停止してエネルギー消費量の無駄をなくすという効果が得られる。
【０００７】
しかし、個人レベルのスケジュールは、予定からの変更が多いことが想定され、不在を予定していた場合でも、実際には執務を行っているような状況も少なくない。このときには、執務者の快適性を損なわないために空調機を運転する必要がある。
またその一方で、空調の停止後しばらくは、快適ではないと感じられるような温熱環境の変化は発生しないという特性がある。そこで、執務者が在席している場合も、快適性が損なわれない範囲で空調を停止し、エネルギー消費量を削減したいという要望もある。
特許文献１の技術は、このような問題を解決するものではない。
【０００８】
本発明は、このような事情を考慮してなされたものであり、エネルギー消費量を削減しながら、執務者の快適性を損なわないように空調の運転を制御することができる空調制御装置を提供する。
【課題を解決するための手段】
【０００９】
本発明の一態様は、建物内において空調機が空調対象としている区画における執務者の予定在席状況を示すスケジュール情報を記憶する記憶部と、前記区画において検出された執務者の現在の在席状況と、前記記憶部に記憶されている前記スケジュール情報が示す前記区画における執務者の予定在席状況とが相違する時刻から所定時間ずらした時刻に、前記区画を空調対象としている前記空調機のスイッチ制御状態を変更するよう判断する制御判断部と、前記制御判断部によって判断されたスイッチ制御状態に従って前記区画を空調対象としている前記空調機を制御する制御指示部と、を備えることを特徴とする空調制御装置である。
【００１０】
本発明の一態様は、上述する空調制御装置であって、前記制御判断部は、執務者が現在在席していることが検出された前記区画において執務者が現在在席予定であることが前記スケジュール情報に設定されている場合、前記スケジュール情報に前記区画において前記執務者が不在予定となることが設定されている時刻よりも所定時間前に前記区画を空調対象としている前記空調機の稼動を停止するようスイッチ制御状態を判断する、ことを特徴とする。
【００１１】
本発明の一態様は、上述する空調制御装置であって、前記制御判断部は、執務者が現在在席していることが検出された前記区画において執務者が現在不在予定であることが前記スケジュール情報に設定されている場合、前記スケジュール情報に前記区画において前記執務者が不在予定となったことが設定されている時刻よりも所定時間後に前記区画を空調対象としている前記空調機を稼動するようスイッチ制御状態を判断する、ことを特徴とする。
【００１２】
本発明の一態様は、上述する空調制御装置であって、前記制御判断部は、執務者が現在不在であることが検出された前記区画において執務者が現在在席予定であることが前記スケジュール情報に設定されている場合、前記執務者が不在であることが検出された時刻よりも所定時間後に前記区画を空調対象としている前記空調機の稼動を停止するようスイッチ制御状態を判断する、ことを特徴とする。
【００１３】
本発明の一態様は、上述する空調制御装置であって、前記制御判断部は、前記建物の外の環境、前記区画における環境、または、前記区画における執務内容のうち１つ以上に対応して前記所定時間を決定する、ことを特徴とする。
【発明の効果】
【００１４】
本発明によれば、エネルギー消費量を削減しながら、執務者の快適性を損なわないように空調の運転を制御することが可能となる。
【図面の簡単な説明】
【００１５】
【図１】本発明の一実施形態による空調制御システムの構成を示すブロック図である。
【図２】同実施形態による空調制御装置の在席状況収集処理フローを示す図である。
【図３】同実施形態による空調制御装置の空調制御処理フローを示す図である。
【図４】同実施形態による空調制御装置のスイッチ状態判定処理を示す図である。
【発明を実施するための形態】
【００１６】
以下、図面を参照しながら本発明の実施形態を詳細に説明する。
【００１７】
図１は、本発明の一実施形態による空調制御システムの構成を示すブロック図である。同図に示すように、空調制御システムは、検出装置１０、空調制御装置２０、及び、個別空調機３０を備えて構成される。個別空調機３０は、例えば、オフィスビルの執務室内における各執務者の座席などを空調対象の区画としており、その区画の足元などに吹出口が設置される。
【００１８】
検出装置１０は、個別空調機３０が空調対象としている区画における執務者の在席状況を検出し、その検出結果を空調制御装置２０に通知する。検出装置１０には、例えば、人感センサなどを用いることができる。
【００１９】
空調制御装置２０は、サーバなどのコンピュータ装置により実現することができ、記憶部２１、検出情報受信部２２、在席状況判定部２３、制御判断部２４、及び、制御指示部２５を備えて構成される。
【００２０】
記憶部２１は、各検出装置１０が設置されている区画を示す検出装置設置情報と、各個別空調機３０が空調対象としている区画を示す空調設置情報と、各執務者が在席か不在かの予定在席状況を示すスケジュール情報と、個別空調機３０が空調対象としている区画に執務者が在席しているか不在であるかの実際の在席状況を示す検出在席状況情報とを記憶する。
【００２１】
検出情報受信部２２は、各区画の検出装置１０から執務者の在席状況の検出結果を受信する。在席状況判定部２３は、検出情報受信部２２が検出装置１０から受信した検出結果に基づいて検出在席状況情報を記憶部２１に書き込む。制御判断部２４は、記憶部２１に記憶されているスケジュール情報から各区画における執務者の予定在席状況を取得するとともに、記憶部２１に記憶されている検出在席状況情報から当該区画において検出された実際の在席状況を取得し、取得した予定在席状況及び実際の在席状況から当該区画を空調対象とする個別空調機３０をオンにするかオフにするかのスイッチ制御状態を判定する。制御指示部２５は、制御判断部２４が判定したスイッチ制御状態に従って個別空調機３０へスイッチの制御を指示する。
【００２２】
次に、空調制御システムの動作について説明する。以下では、個別空調機３０が、オフィスビルの執務室内の各執務者の座席に設置されている場合について説明する。
まず、空調制御装置２０の記憶部２１に、検出装置設置情報及び空調設置情報を登録しておく。検出装置設置情報は、検出装置１０を特定する検出装置ＩＤと、執務室内において検出装置１０が設置されている座席を特定する区画ＩＤとの対応づけを示す。空調設置情報は、個別空調機３０を特定する空調ＩＤと、個別空調機３０が空調対象としている座席を特定する区画ＩＤとの対応づけを示す。
【００２３】
また、記憶部２１には、随時、各執務者のスケジュール情報が書き込まれる。例えば、各執務者は、自身が保有するパーソナルコンピュータなどから空調制御装置２０にアクセスし、スケジュール情報を記憶部２１に書き込む。スケジュール情報は、執務者の座席の区画ＩＤと、開始時刻及び終了時刻により特定される時間帯に執務者が在席しているか不在であるかを示す予定在席状況との対応付けを示す。在席予定状態に、例えば、帰宅、会議、外出などが設定されている場合、不在が設定されていると判断される。
なお、区画ＩＤとして、執務者を一意に特定する個人ＩＤを用いることもできる。
【００２４】
図２は、空調制御装置２０の在席状況収集処理フローを示す図である。
各執務者の座席に設置されている検出装置１０は、一定時間毎に、執務者が在席しているか不在であるかの在席状況の検出を行い、その検出結果と、自装置の検出装置ＩＤとを検出装置１０へ送信する。空調制御装置２０の検出情報受信部２２は、各検出装置１０から検出結果及び検出装置ＩＤを受信する（ステップＳ１０５）。在席状況判定部２３は、ステップＳ１０５において受信した検出装置ＩＤをキーにして、記憶部２１に記憶されている検出装置設置情報から区画ＩＤを読み出す。在席状況判定部２３は、読み出した区画ＩＤと、当該区画ＩＤの座席に設置されている検出装置１０から受信した検出結果が示す在席状況と、検出時刻とを対応付けた検出在席状況情報を記憶部２１に書き込む（ステップＳ１１０）。検出時刻は、検出装置１０から検出結果と併せて受信してもよく、空調制御装置２０において検出結果を受信した時刻、あるいは、検出在席状況情報を書き込んだ時刻としてもよい。
【００２５】
図３は、空調制御装置の空調制御処理フローを示す図であり、定期的に起動される。
空調制御装置２０の制御判断部２４は、個別空調機３０が空調対象としている区画、つまり、執務者の座席がある区画のうち未選択の１つを選択する（ステップＳ２０５）。制御判断部２４は、選択した区画の区画ＩＤを記憶部２１に記憶されている検出装置設置情報から読み出し、さらに、読み出した区画ＩＤに対応して記憶部２１に記憶されている検出在席状況情報のうち、最も新しい時刻が設定されている検出在席状況情報を特定する。制御判断部２４は、特定した検出在席状況情報から、執務者が在席しているか不在であるかの現在の在席状況を読み出す。続いて、制御判断部２４は、読み出した区画ＩＤにより記憶部２１に記憶されているスケジュール情報を特定すると、特定したスケジュール情報から予定在席状況を読み出す。制御判断部２４は、検出在席状況情報から読み出した現在の在席状況と、スケジュール情報から読み出した予定在席状況とから、ステップＳ２０５において選択した個別空調機３０に指示すべきスイッチの制御状態を判断する（ステップＳ２１０）。スイッチ状態の判断の詳細については後述する。
【００２６】
制御判断部２４は、ステップＳ２０５においてまだ選択していない個別空調機３０の区画があるか否かを判断する（ステップＳ２１５）。まだ未選択の区画がある場合（ステップＳ２１５：ＹＥＳ）、制御判断部２４は、未選択の区画を選択するステップＳ２０５からの処理を繰り返す。
そして、制御判断部２４は、全ての個別空調機３０の区画を選択したと判断した場合（ステップＳ２１５）、制御指示部２５は、各個別空調機３０に、ステップＳ２１０において制御判断部２４が判断した当該個別空調機３０のスイッチの制御状態を設定した制御信号を送信する（ステップＳ２２０）。各個別空調機３０は、受信した制御信号に設定されているスイッチの制御状態に従って、スイッチを制御する。
【００２７】
なお、図２のステップＳ１０５において、検出装置１０は、執務者が在席であるか不在であるかの検出結果を空調制御装置２０に送信しているが、執務者が在席であることを検出したときにのみ検出結果及び検出装置ＩＤを送信してもよい。この場合、検出結果及び検出装置ＩＤを送信しなかった検出装置１０については、在席状況に不在が設定された検出在席状況情報を記憶部２１に書き込む。あるいは、空調制御装置２０の在席状況判定部２３は、受信した検出結果及び検出ＩＤについてのみステップＳ１１０の処理を行ない、在席が設定された検出在席状況情報を記憶部２１に書き込んでもよい。空調制御装置２０の在席状況判定部２３は、受信した検出結果及び検出ＩＤについてのみステップＳ１１０の処理を行なう場合、図３のステップＳ２１０において、選択した個別空調機３０の区画ＩＤに対応して、最も新しい在席状況検出タイミングの時刻が設定されている検出在席状況情報が記憶部２１に記憶されていないときには、在席状況は不在であると判断する。
【００２８】
また、検出装置１０による在席状況の検出周期と、空調制御装置２０による空調制御処理の起動周期は同じでなくともよい。在席状況の検出周期が空調制御処理の起動周期よりも短い場合、空調制御装置２０の制御判断部２４は、図３のステップＳ２１０において、読み出した区画ＩＤに対応して記憶部２１に記憶されている検出在席状況情報のうち、現在時刻から所定時間内の時刻が設定されている複数の検出在席状況情報を用いて現在の在席状況を判断してもよい。例えば、これらの検出在席状況情報に所定以上連続して「在席」が設定されている場合、あるいは、これらの検出在席状況情報の所定の割合以上に「在席」が設定されている場合に、現在の在席状況を「在席」と判断する。同様に、これらの検出在席状況情報に所定以上連続して「不在」が設定されている場合、あるいは、これらの検出在席状況情報の所定の割合以上に「不在」が設定されている場合に、現在の在席状況を「不在」と判断する。
【００２９】
図４は、図３に示す空調制御処理フローのステップＳ２１０におけるスイッチ状態判定処理を説明する図である。以下の図４の説明において、スケジュール情報、検出在席状況情報とは、ステップＳ２０５において選択された個別空調機３０の区画ＩＤに対応して記憶部２１に記憶されているスケジュール情報、検出装置設置情報を意味する。また、以下の図４の説明において、個別空調機３０とは、記憶部２１に記憶されている空調設置情報にステップＳ２０５において選択された区画ＩＤに対応して設定されている空調ＩＤにより特定される個別空調機３０を意味する。
【００３０】
（ａ）スケジュール情報から取得した現在時刻における予定在席状況が「在席」であり、検出在席状況情報から取得した現在の実際の在席状況も「在席」である場合、制御判断部２４は、個別空調機３０を継続して運転する、つまり、スイッチ状態をオンのままにして稼動を継続させると判断する。これは、執務者が登録したスケジュール情報と、検出装置１０からの入力された執務者の在席状況が共に「在席」で一致しているためである。
【００３１】
さらに、制御判断部２４は、スケジュール情報から予定在席状況が現在の「在席」から「不在」に変わる時刻、つまり、現在時刻が設定されている時間帯の終了の時刻を取得する。制御判断部２４は、個別空調機３０を継続して運転させたのち、取得した時刻より所定時間前（Ｎ分前）を運転終了時刻とし、この運転終了時刻に電源をオフすべきと判断する。
【００３２】
例えば、冷房を切っても、温冷感は急激に上昇することはなく、執務者はしばらくの間は暑さを感じない。このように通常、空調の電源をオフにしても、温冷感は急激に変化しない。そこで、空調の電源をオフにしても温冷感は急激に変化しないという惰性を利用し、スケジュール情報に「不在」となることが設定されている時刻のＮ分前に個別空調機３０の電源をオフにする。
【００３３】
なお、個別空調機３０をオフにしてから温冷感が変化するまでの時間は、その日の温度や湿度、執務者の執務内容によって異なる。そこで、外気の温度及び湿度、執務室内の温度及び湿度、ならびに、執務内容と、不在予定時刻より前倒して個別空調機３０の電源を前倒してオフすべき時間である前倒しオフ時間Ｎ分とを対応付けて記憶部２１に予め記憶させておく。これらの対応付けは、調査等に基づく。また、スケジュール情報には、時間帯に対応付けて執務内容を設定する。空調制御装置２０は、図示しない受信手段により、屋外に設置されたセンサから外気の温度及び湿度を受信するとともに、執務室内に設置されたセンサから執務室内の温度及び湿度を受信する。制御判断部２４は、スケジュール情報から現在の執務内容を読み出し、読み出した執務内容と、受信した外気の温度及び湿度ならびに執務内の温度及び湿度とに対応した前倒しオフ時間Ｎ分を記憶部２１から読み出す。制御判断部２４は、予定在席状況が現在の「在席」から「不在」に変わる時刻より前倒しオフ時間Ｎ分前の時刻を運転終了時刻とする。
【００３４】
制御指示部２５は、図３のステップＳ２２０において、スイッチをオンのまま継続運転し、運転終了時刻にスイッチをオフする旨を設定した制御信号を個別空調機３０に送信する。なお、制御判断部２４が判断した運転終了時刻が、次回の空調制御処理の起動時刻よりも先であるなど、現在時刻から所定時間以上先の時刻である場合、スイッチをオンのまま継続運転する旨のみを設定した制御信号を個別空調機３０に送信してもよい。
【００３５】
（ｂ）スケジュール情報から取得した現在の予定在席状況が「不在」であり、検出在席状況情報から取得した現在の在席状況が「不在」である場合、制御判断部２４は、個別空調機３０の運転を停止する、つまり、スイッチ状態をオフにすると判断する。制御指示部２５は、図３のステップＳ２２０において、スイッチをオフとする旨を設定した制御信号を個別空調機３０に送信する。
【００３６】
（ｃ）スケジュール情報から取得した現在の予定在席状況が「不在」であり、検出在席状況情報から取得した現在の在席状況が「在席」である状態は、スケジュール情報の入力を誤った場合に生じる。これは、執務者がスケジュール上では自席に不在としていたが、実際には在席して執務を続けている状態であり、上述した（ａ）のようにスイッチ状態が判断され、スケジュール情報が示す不在の予定に従ってそのＮ分前に個別空調機３０がオフにされている。しかし、個別空調機３０をオフのままにしてしまうと、執務者は、暑さ、寒さを感じるなど、温冷感の変化を感じる。そこで、制御判断部２４は、スケジュール情報に「不在」となることが設定されている時刻から所定時間（Ｍ分）が経過した時刻までの検出在席状況情報に「在席」が設定さていると判断した場合、スイッチ状態をオンとして個別空調機３０を稼動すると判断する。このように、スケジュール情報に不在となることが設定されている予定時刻からＭ分が経過しても検出装置１０に在席が入力され続ける場合には、そのＭ分が経過した時点で個別空調機３０をオンにする。制御指示部２５は、図３のステップＳ２２０において、スイッチをオンとする旨を設定した制御信号を個別空調機３０に送信する。
【００３７】
個別空調機３０をオフにしてから温冷感が変化するまでの時間は、その日の温度や湿度によって異なる。そこで、外気の温度及び湿度、ならびに、執務室内の温度及び湿度と、不在予定時刻から個別空調機３０の電源をオンにすべき時間までの経過時間Ｍ分とを対応付けて記憶部２１に予め記憶させておく。これらの対応付けは、調査等に基づく。そして、空調制御装置２０は、図示しない受信手段により、屋外に設置されたセンサから外気の温度及び湿度を受信するとともに、執務室内に設置されたセンサから執務室内の温度及び湿度を受信する。制御判断部２４は、受信した外気の温度及び湿度ならびに執務内の温度及び湿度に対応した経過時間Ｍ分を記憶部２１から読み出す。制御判断部２４は、予定在席状況が「不在」に変わった予定時刻より経過時間Ｍ分が経過した時刻を運転開始時刻とする。
また、在席していたときの執務内容が引き続き行なわれているものと仮定して、経過時間Ｍを決定してもよい。この場合、スケジュール情報には時間帯に対応付けて執務内容を設定し、記憶部２１には、外気の温度及び湿度、執務室内の温度及び湿度、ならびに、執務内容と、経過時間Ｍ分とを対応付けて記憶部２１に予め記憶させておく。空調制御装置２０は、スケジュール情報から直前に在席していたときの執務内容を読み出し、読み出した執務内容と、受信した外気の温度及び湿度ならびに執務内の温度及び湿度とに対応した経過時間Ｍ分を記憶部２１から読み出す。
【００３８】
（ｄ）スケジュール情報では予定在席状況が「在席」であり、検出在席状況情報から取得した現在の在席状況が「不在」である状態は、スケジュール情報の入力を誤った場合に生じる。これは、執務者がスケジュール上では自席に在席としていたが、実際は不在の状態であり、スケジュール情報が示す予定在席状況に従って個別空調機３０を運転し続けると、エネルギーにロスが生じる。そこで、制御判断部２４は、在席状況が「在席」から現在の「不在」に変化したときの検出在席状況情報を記憶部２１から読み出し、この読み出した検出在席状況情報から時刻を取得する。制御判断部２４は、この取得した時刻からＬ分（例えば、１０分）が経過した時刻を運転終了時刻とし、この運転終了時刻にスイッチ状態をオフにして個別空調機３０の運転を停止すると判断する。このように、スケジュール情報に在席が設定されている場合でも、検出装置１０に不在がＬ分以上入力され続けた場合には、その時点で個別空調機３０をオフにする。なお、この不在から検出されてから個別空調機３０をオフにするまでの経過時間Ｌ分は、上記の経過時間Ｍ分と同様に、外気の温度及び湿度、執務室内の温度及び湿度に応じて、あるいはさらにスケジュール情報から取得した現在の執務内容に応じて決定してもよい。
制御指示部２５は、図３のステップＳ２２０において、運転終了時刻にスイッチをオフする旨を設定した制御信号を個別空調機３０に送信する。
【００３９】
上記実施形態によれば、スケジュール情報として登録された予定在席状況を、実際の在席状況の検出結果によって補完することによって、エネルギーロスがないことに加え、執務者に極端な暑さや寒さなどの温冷感の変化を感じさせない快適な空調制御を実現することができる。
このように、省エネルギーと、執務者の快適性とを両立した空調制御を行なうことができる。
【００４０】
なお、上記においては、個人の座席に設置された個別空調機３０を制御対象としているが、共用スペース、例えば、会議スペースなどに設置された１台または複数台の個別空調機３０を制御対象としてもよい。この場合、スケジュール情報は、会議スペースに設置されている各個別空調機３０が空調対象としている区画の区画ＩＤと、会議スペースの利用予定の開始時刻及び終了時刻からなる時間帯とを対応付けた情報とする。そして、ステップＳ２１０において、現在の時刻に対応した時間帯に会議スペースの利用予定が設定されていれば在席予定、設定されていなければ不在予定と判断する。これにより、会議スペースなどの共用の空間についても、上記と同様に個別空調機３０のスイッチ制御を行なうことができる。
【００４１】
なお、検出装置１０として、各執務者が携帯するＩＣカードなどに備えられるＩＣタグから情報を読み出すＩＣタグリーダを用いることができる。この場合、各検出装置１０は、ＩＣタグから情報を読み取った場合に在席であるとことを検出する。
また、検出装置１０をコンピュータ端末とし、コンピュータ端末が起動した場合や、執務者のＩＤが入力された場合に在席であるとことを検出し、コンピュータ端末の電源が切断された場合や、コンピュータ端末から執務者がログアウトした場合に不在であるとことを検出するようにしてもよい。
また、各執務者がＧＰＳ（Global Positioning System）を備えた端末を保持し、この端末からＧＰＳが取得した位置を示す情報を空調制御装置２０に送信するようにしてもよい。空調制御装置２０の検出情報受信部２２は、受信した情報が示す位置から執務者が在席している区画を判断する。
【００４２】
なお、上述の空調制御装置２０は、内部にコンピュータシステムを有している。そして、空調制御装置２０の検出情報受信部２２、在席状況判定部２３、制御判断部２４及び制御指示部２５の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリやＯＳ、周辺機器等のハードウェアを含むものである。
【００４３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【符号の説明】
【００４４】
１０…検出装置
２０…空調制御装置
２１…記憶部
２２…検出情報受信部
２３…在席状況判定部
２４…制御判断部
２５…制御指示部
３０…個別空調機
【図１】
2012093022.tif 000003
【図２】
2012093022.tif 000004
【図３】
2012093022.tif 000005
【図４】
2012093022.tif 000006